(57)【特許請求の範囲】
【請求項１】
脱水槽を兼ねた洗濯槽の外側に位置して脱水時の水を受ける外槽と、この外槽を洗濯機本体の四隅から弾性支持するサスペンションとを備え、前記各サスペンションは、吊り棒と、この吊り棒の下部に取り付けた外周に摩擦材を有するばね支持板と、前記吊り棒に挿通さればね支持板を覆う筒状のばね抑えと、前記ばね支持板とばね抑えとの間に介装した圧縮ばねと、この筒状のばね抑えに取り付けられ少なくとも３箇所の空気が通る穴を設けたばね抑え蓋と、前記ばね抑え蓋の穴を覆うように取り付けた空気を通す軟質材とで構成した全自動洗濯機の防振装置。
【請求項２】
脱水槽を兼ねた洗濯槽の外側に位置して脱水時の水を受ける外槽と、この外槽を洗濯機本体の四隅から弾性支持するサスペンションとを備え、前記各サスペンションは、吊り棒と、この吊り棒の下部に取り付けた外周に摩擦材を有するばね支持板と、前記吊り棒に挿通さればね支持板を覆う筒状のばね抑えと、前記ばね支持板とばね抑えとの間に介装した圧縮ばねと、この筒状のばね抑えに取り付けられ中心部に弾性体の膜を設けたばね抑え蓋とで構成した全自動洗濯機の防振装置。
【発明の詳細な説明】
【０００１】
【産業上の利用分野】
本発明は家庭用の全自動洗濯機に使用される防振装置に関するものである。
【０００２】
【従来の技術】
従来、この種の全自動洗濯機は図７に示すように構造していた。以下、その構成について説明する。
【０００３】
図に示すように、外槽１は、脱水時の水を受けるもので、内部に脱水槽を兼ねた洗濯槽２を回転自在に配設している。外槽１の下部には、モータ３とベルトで連結されている減速機４を固着している。減速機４の駆動軸は二重構造になっており、外側の軸には、洗濯槽４を固定し、内側の軸には、洗濯槽４内部に位置した攪拌翼５を固定している。また、外槽１は、洗濯機本体６の四隅から外槽１に一体に設けた支持片７を介してサスペンション８により防振支持されている。
【０００４】
つぎに、図８を参照しながら、サスペンション８の構成を説明する。支持片７は、外槽１の底部外周面に設け、サスペンション８を支持する。支持片７の下面は、球面状の受面９となっている。サスペンション８を構成する吊り棒１０は、この受面９に形成した透孔１１を挿通して下方に突出している。吊り棒１０の下端部にばね受け１２を設けており、このばね受け１２の上に圧縮ばね１３を載置し、さらにこの上にダンパ１４を載置支持している。
【０００５】
ダンパ１４は、上部外周にフランジ１５ａを有したシリンダ部１５と、上端部に径大な受け部１６ａを有したピストン部１６とから構成している。シリンダ部１５の内周面のうち下半部は、底部に向かって径小となるテーパ部１５ｂに形成している。他方、ピストン部１６の下半部も、シリンダ部１５のテーパ部１５ｂに対応してテーパ部１６ｂを形成している。また、テーパ部１５ｂ内には、図９に示すような円板状のダンパ部材１７を複数枚積み重ねて収納している。
【０００６】
このダンパ部材１７は、フェルトなどの軟質材により形成したもので、この外径寸法はシリンダ部１５上部の内径寸法よりも若干小さく、かつテーパ部１５ｂの最小内径寸法よりも大きく設定している。またダンパ部材１７には、潤滑剤として潤滑油を含浸している。
【０００７】
ダンパ１４は、吊り棒１０の下方部に上下動可能に貫挿されていて、シリンダ部１５のフランジ１５ａを圧縮ばね１３上に載置支持している。また同時に、ピストン部１６の受け部１６ａによって外槽１を支持している。このとき、シリンダ部１５内に設けたダンパ部材１７は、径小なテーパ部１５ｂ内への挿入によって縮径して吊り棒１０を締め付けるように作用している。また同時に、ピストン部１６を介して受ける外槽１、洗濯槽２およびモータ３などの重量により圧縮されて、吊り棒１０を締め付けるように作用している。つまり、ダンパ部材１７は、吊り棒１０に対して摩擦摺接するものである。
【０００８】
以上のような構成で、給水、洗濯、排水、遠心脱水を自動的に行う。一般に、全自動洗濯機においては、洗濯行程を終了して洗濯槽４を回転させる脱水行程に入るときに、洗濯物である衣類に片寄りが生じており、これが原因して洗濯槽２、外槽１に大きな振動が発生する。この振動は、特に起動時、共振点通過時に最大となる。この共振による振動を抑えるために、ダンパ１４の上下動をダンパ力として利用している。
【０００９】
つまり、ダンパ１４の上下動によってダンパ部材１７と吊り棒１０との間に摩擦力が作用して、これがダンパ力となって前述した振動を減衰させることができる。また、このダンパ部材１７は洗濯物量が多ければ多いほど強く圧縮され、吊り棒１０への圧接力は大きくなるため、より大きなダンパ力を得ることができ、振動の減衰量も大きくなる。
【００１０】
【発明が解決しようとする課題】
しかしながらこのような構成では、脱水起動持の共振点での振動を抑え、振動の振幅を小さくすることができるが、その反面、定常運転時はダンパ部材１７と吊り棒１０との間の摩擦による減衰量が大きいため、高周波の振動が発生し、騒音は大きくなるという問題を有していた。
【００１１】
本発明は上記従来の課題を解決するもので、起動時、共振点通過時の振動を低減し、かつ、定常運転時の騒音を低減することを目的としている。
【００１２】
【課題を解決するための手段】
本発明は上記第１の目的を達成するために、脱水槽を兼ねた洗濯槽の外側に位置して脱水時の水を受ける外槽と、この外槽を洗濯機本体の四隅から弾性支持するサスペンションとを備え、前記各サスペンションは、吊り棒と、この吊り棒の下部に取り付けた外周に摩擦材を有するばね支持板と、前記吊り棒に挿通さればね支持板を覆う筒状のばね抑えと、前記ばね支持板とばね抑えとの間に介装した圧縮ばねと、この筒状のばね抑えに取り付けられ少なくとも３箇所の空気が通る穴を設けたばね抑え蓋と、前記ばね抑え蓋の穴を覆うように取り付けた空気を通す軟質材とで構成したことを第１の課題解決手段としている。
【００１３】
また、脱水槽を兼ねた洗濯槽の外側に位置して脱水時の水を受ける外槽と、この外槽を洗濯機本体の四隅から弾性支持するサスペンションとを備え、前記各サスペンションは、吊り棒と、この吊り棒の下部に取り付けた外周に摩擦材を有するばね支持板と、前記吊り棒に挿通さればね支持板を覆う筒状のばね抑えと、前記ばね支持板とばね抑えとの間に介装した圧縮ばねと、この筒状のばね抑えに取り付けられ中心部に弾性体の膜を設けたばね抑え蓋とで構成したことを第２の課題解決手段としている。
【００１４】
【作用】
本発明は上記した第１の課題解決手段により、少なくとも３箇所の空気が通る穴を設けたばね抑え蓋と軟質材とを通る空気により、脱水行程の起動時、共振通過時にはダンパ力を発生してダンパ効果を高め、脱水定常時には高周波の振動を発生しないため、脱水行程の起動時、共振通過時の振動を抑えるとともに、脱水行程の定常時の騒音を抑えることができ、かつ低コストで耐久性に優れ、コンパクトにできる。
【００１５】
また、第２の課題解決手段により、中心部に弾性体の膜を設けたばね抑え蓋により、脱水行程の起動時、共振通過時に、さらに大きなダンパ力を発生してダンパ効果を高め、脱水定常時には高周波の振動を発生しないため、脱水行程の起動時、共振通過時の振動を抑えるとともに、脱水行程の定常時の騒音を抑えることができ、かつ耐久性に優れ、コンパクトにできる。
【００１６】
【実施例】
以下、本発明の第１の実施例を図１から図３を参照しながら説明する。
【００１７】
図３に示すように、外槽１８は、脱水槽を兼ねた洗濯槽（以下、洗濯槽という）１９の外側に位置して脱水時の水を受けるものである。外槽１８の下部には、モータ２０とベルトで連結した減速機２１を固着している。減速機２１の駆動軸は二重構造になっており、外側の軸には洗濯槽１９を固定し、内側の軸には洗濯槽１９内部に設けた攪拌翼２２を固定している。また外槽１８は、洗濯機本体２３の四隅からサスペンション２４を介して防振支持されている。
【００１８】
サスペンション２４は、図１に示すように構成している。吊り棒２５は、洗濯機本体２３から外槽１８に設けた支持片１８ａを介して設けている。吊り棒２５の低部、支持片１８ａの下部には筒状のばね抑え２６を設けている。ばね支持板２７は吊り棒２５の低部に設け、このばね支持板２７とばね抑え２６との間に圧縮ばね２８を介装している。
【００１９】
ばね支持板２７の外周に摩擦材２９を設けている。摩擦材２９は、本実施例では、環状の平板に成型したゴム体と、このゴム体の内部に設けたリング状のばね体とで構成している。このゴム体の径、厚さ、表面状態、ばね体の種類等を適切に選択して組み合わせることによって、摩擦材２９のばね抑え２６に対する摩擦力を自由に設定することができる。ばね抑え蓋３０は、筒状のばね抑え２６に取り付けたもので、図２に示すように、このばね抑え蓋３０に空気の通る穴３０ａを１２１箇所設けている。
【００２０】
上記構成において動作を説明する。洗濯行程を終了して脱水行程に入ると、従来例でも説明したように、外槽１８と洗濯槽１９は激しく振動する。本実施例では、この脱水行程の起動時、共振通過時の振動をサスペンション２４で吸収するとともに、脱水がある程度進んだ脱水定常時での騒音を低く抑えようとするものである。
【００２１】
脱水行程に入って洗濯槽１９が回転を始めて共振点を通過するまでは、洗濯槽１９の振れ周り運動によって、外槽１８も大きく振動する。したがって、この外槽１８の振動を受けているサスペンション２４を構成しているばね抑え２６と吊り棒２５の相対変位量も大きくなる。このとき、ダンパ力ｆは、ばね支持板２７の変位量をｘとすると、（数１）のように表せる。
【００２２】
【数１】
0003747486.tif 000002
【００２３】
ただし、ｃは空気による減衰係数、ｇは摩擦材による摩擦力である。（数１）の第１項は速度に依存するダンパ力を示し、本実施例では、空気がばね抑え蓋３０の穴３０ａを通過する際に発生するダンパ力であり、第２項はばね支持板２７の外周に設けた摩擦材２９と筒状のばね抑え２６の間で発生する摩擦力によるダンパ力である。
【００２４】
ここで、本実施例の場合、脱水回転数は約１０００ｒｐｍで、衣類のアンバランスによる基本の振動の周波数はその６０分の１で約１７Ｈｚとなる。また、脱水行程での騒音で気になる周波数域は約５０Ｈｚ以上である。ここで、（数１）の第１項の空気によるダンパ力は、基本の振動の周波数のダンパ力は高く設定しても騒音で気になる高い周波数域のダンパ力は発生しにくい。それに対して、第２項の摩擦力によるダンパ力は、一般的に知られているように基本の振動の周波数のダンパ力を高く設定すると、騒音で気になる高い周波数域のダンパ力が発生しやすい。
【００２５】
本実施例では、ばね抑え蓋３０に１２１箇所の穴３０ａを設けることで、脱水行程でばね抑え２６の内部をばね支持板２７が摺動することで、ばね抑え２６の内部の空気が圧縮、膨張を繰り返し、これにより空気が穴３０ａを通過し、空気によるダンパ力を高く設定でき、その分摩擦によるダンパ力を低く設定することができる。
【００２６】
ここで、ばね抑え蓋３０の穴３０ａの数は、実験の結果、２箇所では穴３０ａの径を様々に変化させても効果が得られず、最低でも３箇所穴が必要である。つまり本実施例によれば、脱水行程の起動時、共振通過時は大きいダンパ力で外槽１８を支持することができ、脱水行程の定常時は騒音を小さく抑えることができることができる。
【００２７】
つぎに、本発明の第２の実施例を図４を参照しながら説明する。なお、上記第１の実施例と同じ構成のものは同一符号を付して説明を省略する。
【００２８】
図に示すように、軟質材３１は、空気を通すもので、フェルトで形成しており、ばね抑え蓋３０に設けた空気が通る穴３０ａを覆うように取り付けている。
【００２９】
上記構成において、ばね抑え蓋３０に軟質材３１を設けた構成とすることにより、ばね抑え蓋３０の穴３０ａを空気が通過する際、大きなダンパ力を発生することができる。したがって、脱水行程の起動時、共振通過時は、上記第１の実施例以上の大きなダンパ力で、外槽１８を支持することができ、脱水行程の定常時は騒音を小さく抑えることができる。
【００３０】
つぎに、本発明の第３の実施例を図５および図６を参照しながら説明する。なお、上記第１の実施例と同じ構成のものは同一符号を付して説明を省略する。
【００３１】
図に示すように、ばね抑え蓋３２は、筒状のばね抑え２６に取り付けており、このばね抑え蓋３２の中心部に弾性体であるゴムの膜３２ａを設けている。
【００３２】
上記構成において、脱水行程でばね抑え２６の内部をばね支持板２７が摺動すると、ばね抑え２６の内部の空気が圧縮、膨張を繰り返すことになる。このばね抑え２６の内部の空気が圧縮、膨張を繰り返すことにより、ばね抑え蓋３２の中央部のゴムの膜３２ａが変形し、ダンパ力を発生する。したがって、脱水行程の起動時、共振通過時は、上記第１または第２の実施例以上の大きなダンパ力で、外槽１８を支持することができ、脱水行程の定常時は騒音を小さく抑えることができる。
【００３３】
【発明の効果】
以上のように本発明は、脱水槽を兼ねた洗濯槽の外側に位置して脱水時の水を受ける外槽と、この外槽を洗濯機本体の四隅から弾性支持するサスペンションとを備え、前記各サスペンションは、吊り棒と、この吊り棒の下部に取り付けた外周に摩擦材を有するばね支持板と、前記吊り棒に挿通さればね支持板を覆う筒状のばね抑えと、前記ばね支持板とばね抑えとの間に介装した圧縮ばねと、この筒状のばね抑えに取り付けられ少なくとも３箇所の空気が通る穴を設けたばね抑え蓋と、前記ばね抑え蓋の穴を覆うように取り付けた空気を通す軟質材とで構成したから、少なくとも３箇所の空気が通る穴を設けたばね抑え蓋と軟質材とを通る空気により、脱水行程の起動時、共振通過時の振動を抑えることができるとともに、脱水行程の定常時の騒音を抑えることができ、かつ、低コストで耐久性に優れ、コンパクトにできる。
【００３４】
また、脱水槽を兼ねた洗濯槽の外側に位置して脱水時の水を受ける外槽と、この外槽を洗濯機本体の四隅から弾性支持するサスペンションとを備え、前記各サスペンションは、吊り棒と、この吊り棒の下部に取り付けた外周に摩擦材を有するばね支持板と、前記吊り棒に挿通さればね支持板を覆う筒状のばね抑えと、前記ばね支持板とばね抑えとの間に介装した圧縮ばねと、この筒状のばね抑えに取り付けられ中心部に弾性体の膜を設けたばね抑え蓋とで構成したから、中心部に弾性体の膜を設けたばね抑え蓋により、脱水行程の起動時、共振通過時に、さらに大きなダンパ力を発生してダンパ効果を高め、脱水定常時には高周波の振動を発生しないため、脱水行程の起動時の振動を抑えるとともに、脱水行程の定常時の騒音を抑えることができ、かつコンパクトにできる。
【図面の簡単な説明】
【図１】  本発明の第１の実施例の全自動洗濯機の防振装置の一部切欠した断面図
【図２】  同全自動洗濯機の防振装置のばね抑え蓋の上面図
【図３】  同防振装置を備えた全自動洗濯機の断面図
【図４】  本発明の第２の実施例の全自動洗濯機の防振装置の一部切欠した断面図
【図５】  本発明の第３の実施例の全自動洗濯機の防振装置の一部切欠した断面図
【図６】  同全自動洗濯機の防振装置のばね抑え蓋の上面図
【図７】  従来の防振装置を備えた全自動洗濯機の断面図
【図８】  従来の全自動洗濯機の防振装置の拡大断面図
【図９】  同全自動洗濯機の防振装置のダンパ部材の斜視図
【符号の説明】
１８  外槽
１９  洗濯槽
２４  サスペンション
２３  洗濯機本体
２５  吊り棒
２６  ばね抑え
２７  ばね支持板
２８  圧縮ばね
２９  摩擦材
３０  ばね抑え蓋
３０ａ  穴
【図１】
0003747486.tif 000003
【図２】
0003747486.tif 000004
【図３】
0003747486.tif 000005
【図４】
0003747486.tif 000006
【図５】
0003747486.tif 000007
【図６】
0003747486.tif 000008
【図７】
0003747486.tif 000009
【図８】
0003747486.tif 000010
【図９】
0003747486.tif 000011